(57)【要約】  演算量の増大を低減しつつ、対象物の特性に係る測定データの送受信が正しく実行されたか否かを容易に確認するために、測定システムは、第１装置と、該第１装置に対して通信可能に接続された第２装置と、を備えている。第１装置は、取得部、記憶部、第１演算部および第１通信部を有する。取得部は、対象物の特性についての物理量に係る測定データを取得する。記憶部は、取得部によって取得された測定データを記憶する。第１演算部は、測定データから対象物の特性について特定の指標に係る第１の値を算出する。第１通信部は、測定データおよび第１値を示すデータを第２装置に向けて送信する。第２装置は、第２通信部、第２演算部および比較部を有する。第２通信部は、第１装置から送信された測定データおよび第１値を受信する。第２演算部は、測定データから特定の指標に係る第２値を算出する。比較部は、第１値と第２値とを比較する。
2018211904.tif 000002
【特許請求の範囲】
【請求項１】
第１装置と、
前記第１装置に対して通信可能に接続されている第２装置と、を備え、
前記第１装置は、
対象物の特性についての物理量に係る測定データを取得する取得部と、
前記取得部によって取得された前記測定データを記憶する記憶部と、
前記測定データから前記対象物の特性について予め設定された特定の指標に係る第１の値を算出する第１演算部と、
前記測定データおよび前記第１の値を示すデータを前記第２装置に向けて送信する第１通信部と、を有し、
前記第２装置は、
前記第１装置から送信された前記測定データおよび前記第１の値を受信する第２通信部と、
前記第２通信部で受信された前記測定データから前記特定の指標に係る第２の値を算出する第２演算部と、
前記第２通信部で受信された前記第１の値と前記第２演算部で算出された前記第２の値とを比較する比較部と、を有する、測定システム。
【請求項２】
請求項１に記載の測定システムであって、
前記対象物の特性は、前記対象物の色を含む、測定システム。
【請求項３】
請求項２に記載の測定システムであって、
前記測定データは、前記対象物からの光の分光分布に係るデータを含み、
前記特定の指標は、前記対象物の色についての指標を含む、測定システム。
【請求項４】
請求項１から請求項３の何れか１つの請求項に記載の測定システムであって、
前記第１演算部は、前記取得部による前記測定データの取得に応答して、前記測定データから前記特定の指標に係る前記第１の値を算出し、
前記第１通信部は、前記第１演算部による前記第１の値の算出に応答して、前記測定データおよび前記第１の値を示すデータを前記第２装置に向けて送信する、測定システム。
【請求項５】
請求項１から請求項４の何れか１つの請求項に記載の測定システムであって、
前記第２通信部は、
前記比較部によって前記第１の値と前記第２の値との一致が認識されなかったことに応答して、予め設定された第１信号を前記第１装置に向けて送信する、測定システム。
【請求項６】
請求項５に記載の測定システムであって、
前記第１通信部は、
前記第１信号の受信に応答して、前記測定データおよび前記第１の値を示すデータを前記第２装置に向けて再送信する、測定システム。
【請求項７】
請求項５または請求項６に記載の測定システムであって、
前記第１装置は、
前記第１信号の受信に応答して、ユーザーが認識可能な態様で、予め設定された第１の出力を行う第１出力部、をさらに有する、測定システム。
【請求項８】
請求項１から請求項６の何れか１つの請求項に記載の測定システムであって、
前記第２通信部は、
前記比較部による前記第１の値と前記第２の値との一致の認識に応答して、予め設定された第２信号を前記第１装置に向けて送信し、
前記第１装置は、
前記第２信号の受信に応答して、ユーザーが認識可能な態様で、予め設定された第２の出力を行う第１出力部と、
ユーザーの動作に応じた特定の入力を受け付ける入力部と、
前記第１出力部によって前記第２の出力が行われている状態で、前記入力部による前記特定の入力の受け付けに応答して、前記記憶部に記憶されている前記測定データを削除する記憶制御部と、をさらに有する、測定システム。
【請求項９】
請求項１から請求項７の何れか１つの請求項に記載の測定システムであって、
前記第２通信部は、
前記比較部による前記第１の値と前記第２の値との一致の認識に応答して、予め設定された第２信号を前記第１装置に向けて送信する、測定システム。
【請求項１０】
請求項９に記載の測定システムであって、
前記第１装置は、
前記第２信号の受信に応答して、前記記憶部に記憶されている前記測定データを削除する記憶制御部、をさらに有する、測定システム。
【請求項１１】
請求項１から請求項１０の何れか１つの請求項に記載の測定システムであって、
前記第２装置は、
前記比較部によって前記第１の値と前記第２の値との一致が認識されなかったことに応答して、ユーザーが認識可能な態様で、予め設定された第３の出力を行う第２出力部、をさらに有する、測定システム。
【請求項１２】
第１装置と、該第１装置に対して通信可能に接続されている第２装置と、を備える測定システムにおける通信処理方法であって、
(a)前記第１装置において、対象物の特性についての物理量に係る測定データを取得するステップと、
(b)前記第１装置において、前記測定データを記憶部に記憶するステップと、
(c)前記第１装置において、前記測定データから前記対象物の特性について予め設定された特定の指標に係る第１の値を算出するステップと、
(d)前記第１装置において、前記測定データおよび前記(c)ステップで算出された前記第１の値を示すデータを前記第２装置に向けて送信するステップと、
(e)前記第２装置において、前記(d)ステップで送信された前記測定データおよび前記第１の値を受信するステップと、
(f)前記(e)ステップで受信した前記測定データから前記特定の指標に係る第２の値を算出するステップと、
(g)前記(e)ステップで受信した前記第１の値と前記(f)ステップで算出した前記第２の値とを比較するステップと、を有する、測定システムにおける通信処理方法。
【発明の詳細な説明】
【技術分野】
【０００１】
本発明は、測定システムおよび測定システムにおける通信処理方法に関する。
【背景技術】
【０００２】
近年、クラウド・コンピューティング（クラウドともいう）と称される情報サービスの普及に伴って、サーバー上などでデータを一元的に管理するケースが増えている。【０００３】
例えば、測色分野では、情報処理装置が、製品の第１部品の色の測定で得た第１測色データと、同一製品の第１部品とは異なる第２部品の色の測定で得た第２測定データとをインターネットを介して受信し、第１測色データと第２測色データとを比較する技術が提案されている（例えば、下記特許文献１など参照）。この技術によれば、例えば、異なるパーツメーカーにおいて同一製品の第１部品と第２部品とが生産されても、色の管理を容易に行うことができる。
【先行技術文献】
【特許文献】
【０００４】
【特許文献１】国際公開第２０１６／０９８５２９号
【発明の概要】
【発明が解決しようとする課題】
【０００５】
上記特許文献１の技術では、例えば、ネットワークなどの通信回線を介してデータを送受信する際に、通信回線の問題あるいはサーバーの不具合などによって、データが正しく送受信されない状況が生じ得る。【０００６】
これに対して、例えば、測色分野では、測定装置による測定で得られる測色データは、温度、湿度、測定者および照度などの種々の測定条件の違いに応じて変化し得る。このため、例えば、測色データが正しく送受信されなかった対象物の色を測定し直しても、測定条件の再現が難しく、元の測定時における測色データと同一の測色データを得ることが難しい。このため、測色データの送受信時に生じるデータの損失は大問題となる。ただし、上記特許文献１では、測色データの損失への対応策には言及されていない。【０００７】
ところで、データの送受信が正しく実行されたか否かを確認する一般的な技術として、例えば、送信側の装置で送信対象のデータから算出されたハッシュ値と、受信側の装置で受信したデータから算出されるハッシュ値とを比較する技術が知られている。【０００８】
しかしながら、ハッシュ値を比較する技術では、例えば、データを送受信する度にハッシュ値を算出すると、送信側の装置および受信側の装置の双方において演算量が増大し、各装置の使用の自由度が低下する。【０００９】
そこで、例えば、ハッシュ値の算出に要する演算量の低減を目的として、複数（例えば１０個など）のデータをまとめて送信する際に、複数のデータに対してまとめてハッシュ値を算出することが考えられる。ただし、この場合には、例えば、送信側の装置と受信側の装置との間で、ハッシュ値が一致していないことが分かっても、複数のデータのうちの何れのデータの送受信に不具合が生じたのか分からない。このため、複数のデータの全てのデータについて再度の送受信を実行する必要がある。その結果、複数のデータの再度の送受信における演算量が増大し、各装置の使用の自由度が低下する。【００１０】
このような問題は、測色分野に限られず、対象物の特性に係る物理量を測定して得られる測定データを送受信する技術分野一般に共通する。【００１１】
本発明は、上記課題に鑑みてなされたものであり、演算量の増大を低減しつつ、対象物の特性に係る測定データの送受信が正しく実行されたか否かを容易に確認可能な技術を提供することを目的とする。
【課題を解決するための手段】
【００１２】
上記課題を解決するために、一態様に係る測定システムは、第１装置と、前記第１装置に対して通信可能に接続されている第２装置と、を備える。前記第１装置は、取得部と、記憶部と、第１演算部と、第１通信部と、を有する。前記取得部は、対象物の特性についての物理量に係る測定データを取得する。前記記憶部は、前記取得部によって取得された前記測定データを記憶する。前記第１演算部は、前記測定データから前記対象物の特性について予め設定された特定の指標に係る第１の値を算出する。前記第１通信部は、前記測定データおよび前記第１の値を示すデータを前記第２装置に向けて送信する。前記第２装置は、第２通信部と、第２演算部と、比較部と、を有する。前記第２通信部は、前記第１装置から送信された前記測定データおよび前記第１の値を受信する。前記第２演算部は、前記第２通信部で受信された前記測定データから前記特定の指標に係る第２の値を算出する。前記比較部は、前記第２通信部で受信された前記第１の値と前記第２演算部で算出された前記第２の値とを比較する。【００１３】
一態様に係る測定システムにおける通信処理方法は、第１装置と、該第１装置に対して通信可能に接続されている第２装置と、を備える測定システムにおける通信処理方法であって、(a)ステップ、(b)ステップ、(c)ステップ、(d)ステップ、(e)ステップ、(f)ステップおよび(g)ステップを有する。前記(a)ステップでは、前記第１装置において、対象物の特性についての物理量に係る測定データを取得する。前記(b)ステップでは、前記第１装置において、前記測定データを記憶部に記憶する。前記(c)ステップでは、前記第１装置において、前記測定データから前記対象物の特性について予め設定された特定の指標に係る第１の値を算出する。前記(d)ステップでは、前記第１装置において、前記測定データおよび前記(c)ステップで算出された前記第１の値を示すデータを前記第２装置に向けて送信する。前記(e)ステップでは、前記第２装置において、前記(d)ステップで送信された前記測定データおよび前記第１の値を受信する。前記(f)ステップでは、前記(e)ステップで受信した前記測定データから前記特定の指標に係る第２の値を算出する。前記(g)ステップでは、前記(e)ステップで受信した前記第１の値と前記(f)ステップで算出した前記第２の値とを比較する。
【発明の効果】
【００１４】
本発明によれば、例えば、第１装置で使用する、測定データから算出される特定の指標に係る第１の値と、第２装置で使用する、測定データから算出される特定の指標に係る第２の値と、が比較される。これにより、例えば、送信側および受信側の双方にもともと備えられている構成が利用されつつ、特別な構成を加えることなく、送信側における測定データと、受信側における測定データと、の同一性を測定データごとに容易に確認することができる。その結果、例えば、演算量の増大を低減しつつ、対象物の特性に係る物理量を測定して得られる測定データの送受信が正しく実行されたか否かを容易に確認することができる。
【図面の簡単な説明】
【００１５】
【図１】図１は、第１実施形態に係る測定システムの概略的な構成の一例を示す図である。
【図２】図２は、第１実施形態に係る測定装置の機能的な構成の一例を示すブロック図である。
【図３】図３は、測定装置の第１制御部で実現される機能的な構成の一例を示すブロック図である。
【図４】図４は、第１実施形態に係るサーバーの機能的な構成の一例を示すブロック図である。
【図５】図５は、サーバーの第２制御部で実現される機能的な構成の一例を示すブロック図である。
【図６】図６は、第１実施形態に係る通信処理方法の流れの一例を示す流れ図である。
【図７】図７は、第１実施形態に係る通信処理方法の流れの一例を示す流れ図である。
【図８】図８は、第１実施形態に係る通信処理方法の流れの一例を示す流れ図である。
【図９】図９は、第２実施形態に係る通信処理方法の流れの一例を示す流れ図である。
【図１０】図１０は、第３実施形態に係る通信処理方法の流れの一例を示す流れ図である。
【図１１】図１１は、第４実施形態に係る通信処理方法の流れの一例を示す流れ図である。
【図１２】図１２は、第５実施形態に係る測定システムの概略的な構成の一例を示す図である。
【発明を実施するための形態】
【００１６】
以下、本発明の各実施形態および変形例を図面に基づいて説明する。図面においては同様な構成および機能を有する部分については同じ符号が付されており、下記説明では重複説明が省略される。図面は模式的に示されたものである。
【００１７】
＜１．第１実施形態＞
＜１−１．測定システムの構成＞
図１は、第１実施形態に係る測定システム１の概略的な構成の一例を示す模式図である。図１で示されるように、測定システム１は、第１装置としての測定装置１０と、第２装置としてのサーバー２０と、を備えている。サーバー２０は、測定装置１０に対して通信可能に接続されている。
【００１８】
図１の例では、複数の測定装置１０とサーバー２０とが通信回線Ｌｎ１を介して通信可能に接続されている。複数の測定装置１０には、３台の測定装置１０ａ，１０ｂ，１０ｃが含まれている。３台の測定装置１０ａ，１０ｂ，１０ｃは、例えば、同様な構成を有している。通信回線Ｌｎ１には、有線方式あるいは無線方式の通信が可能な回線が適用可能であり、例えば、インターネット回線などが適用される。
【００１９】
測定システム１では、例えば、測定装置１０において取得された対象物の特性に係る測定データが、測定装置１０からサーバー２０に向けて送信され、サーバー２０において測定データが受信される。そして、対象物の特性に係る測定データの送受信が正しく実行されたか否かが確認される。このとき、第１実施形態に係る測定システム１では、このような確認が、例えば、送信側の測定装置１０および受信側のサーバー２０の双方において、一般的に備えられている構成を利用して、特別な構成および演算を加えることなく容易に実行され得る。以下、これについて説明する。
【００２０】
＜１−２．測定装置の構成＞
図２は、第１実施形態に係る測定装置１０の機能的な構成の一例を示すブロック図である。図２で示されるように、測定装置１０は、測定部１１、第１記憶部１２、第１制御部１３、第１通信部１４、第１出力部１５および第１入力部１６を備えている。
【００２１】
測定部１１は、対象物の特性についての物理量に係る測定を実行することができる。測定部１１では、この測定によって、測定結果としてのデータ（測定データともいう）を得ることができる。対象物には、例えば、各種の産業で生産される物品などが含まれ得る。第１実施形態では、対象物の特性には、対象物の色が含まれる。この場合には、例えば、演算量の増大を低減しつつ、対象物の色に係る物理量を測定して得られる測定データの送受信が正しく実行されたか否かを容易に確認することができるようになる。
【００２２】
この測定部１１には、例えば、積分球、光源およびセンサーを含む構成（照明受光部ともいう）が適用され得る。積分球は、例えば、光を乱反射する白色塗料が内壁面に塗布された中空の球状体であればよい。この積分球は、例えば、３つの窓（第１から第３の窓）を有している。第１の窓は、光源からの光を積分球内に導くことができる。第２の窓は、光源から積分球内に導かれた光を対象物に照射させるとともに、対象物からの光を積分球内に導くことができる。第３の窓は、対象物から積分球内に導かれた光をセンサーまで導くことができる。センサーは、例えば、受光した光を分光する分光部分と、この分光部分から出射される各波長の光をそれぞれ受光する複数の光電変換素子とを有する。このため、センサーは、例えば、受光した光における各波長の光の強度に応じたデータを取得することができる。例えば、センサーによって取得される各波長の光の強度の集合体が、光の分光分布である。対象物からの光の分光分布に係るデータ（分光分布データともいう）は、例えば、センサーにおいてアナログ信号の状態で取得されてもよいし、アナログ信号からの変換（Ａ／Ｄ変換ともいう）によってデジタル信号の形式で取得されてもよい。また、測定部１１は、例えば、分光分布から対象物の表面における分光反射率を得てもよい。つまり、測定部１１は、対象物の表面における分光反射率を示すデータ（分光反射率データともいう）を取得してもよい。
【００２３】
ここで、例えば、対象物が自発光を行うものであれば、測定部１１には、例えば、積分球およびセンサーを含む構成が適用されてもよい。換言すれば、測定部１１には、照明受光部から光源が削除された構成が適用されてもよい。この場合には、対象物の自発光にともなう光の色に応じた分光分布データが、センサーによって取得される。
【００２４】
上記のように、対象物の特性についての物理量には、例えば、対象物の表面における分光反射率あるいは対象物からの光の分光分布などが含まれる。これにより、測定部１１によって取得される測定データには、例えば、分光反射率データあるいは分光分布データなどが含まれる。例えば、対象物が自発光を行わない場合には、測定部１１は、測定データとして、対象物の表面における分光反射率を示す分光反射率データを取得することができる。このとき、測定部１１は、例えば、第１制御部１３と協働して、分光反射率データを取得してもよい。例えば、対象物がディスプレイまたは照明装置などの自発光を行うものである場合には、測定部１１は、測定データとして、対象物からの光の分光分布そのものを示す分光分布データを取得することができる。
【００２５】
第１記憶部１２は、例えば、後述する取得部１３０（図３）によって取得された測定データを記憶することができる。これにより、第１記憶得１２には、測定データが蓄積されたデータベースＤ１が構築される。この第１記憶部１２は、例えば、不揮発性の記憶媒体などを含む。第１記憶部１２には、例えば、プログラムＰ１も記憶され得る。第１記憶部１２には、後述する第１メモリー１３ｂが含まれても良い。
【００２６】
第１制御部１３は、例えば、測定装置１０の各部を統括制御することができる。この第１制御部１３は、第１処理部１３ａおよび第１メモリー１３ｂなどを有している。第１処理部１３ａは、例えば、１以上のプロセッサなどを含む。第１メモリー１３ｂは、例えば、１以上の揮発性のメモリーなどを含む。ここで、第１制御部１３は、第１記憶部１２に記憶されているプログラムＰ１を読み込んで実行することで、各種機能を実現することができる。図３は、第１制御部１３で実現される機能的な構成を示すブロック図である。図３で示されるように、第１制御部１３で機能的に実現される構成には、例えば、読出部１３１、第１演算部１３２、第１出力制御部１３３および第１記憶制御部１３４が含まれる。
【００２７】
読出部１３１は、例えば、測定部１１において得られる測定データを適切なタイミングで読み出して、第１演算部１３２に出力することができる。例えば、測定部１１がアナログ信号をデジタル信号に変換するＡ／Ｄ変換を行う部分（Ａ／Ｄ変換部とも言う）を有していれば、読出部１３１では、測定部１１から得られた測定データが、そのまま第１演算部１３２に出力される態様が考えられる。また、例えば、測定部１１がＡ／Ｄ変換部を有していなければ、読出部１３１においてＡ／Ｄ変換が行われる態様が考えられる。また、例えば、読出部１３１では、測定データに対して、適宜校正および補正などの演算が施されてもよい。このように、読出部１３１は、測定部１１とともに、対象物の特性についての物理量に係る測定データを取得する取得部１３０を構成している。
【００２８】
第１演算部１３２は、例えば、取得部１３０によって取得された測定データから対象物の特性について予め設定された特定の指標に係る値（第１の値ともいう）を算出することができる。特定の指標には、例えば、対象物の色についての指標が含まれ得る。この色についての指標には、例えば、ＸＹＺ表色系、Ｌ＊ａ＊ｂ＊表色系およびＬ＊ｃ＊ｈ＊表色系などの種々の表色系の値が適用され得る。例えば、ＸＹＺ表色系の値は、３刺激値（Ｘ値、Ｙ値、Ｚ値）と称されるものである。また、第１演算部１３２では、例えば、取得部１３０によって測定データが取得されたことに応答して、測定データから特定の指標に係る第１の値が算出され得る。第１演算部１３２では、例えば、測定データから第１の値が算出される際に、各種の補正および校正が加えられた演算が行われてもよい。ところで、対象物の色を測定する測定装置には、一般的に、測定で得た分光分布データあるいは分光反射率データを、色についての指標である１種類以上の表色系の値に変換する、第１演算部１３２のような機能が内蔵されている。第１実施形態に係る測定装置１０では、例えば、第１の値が、第１出力部１５で可視的あるいは可聴的に出力される用途に使用され得る。これにより、例えば、ＸＹＺ表色系、Ｌ＊ａ＊ｂ＊表色系およびＬ＊ｃ＊ｈ＊表色系などの表色系の値が、測定結果として、測定装置１０のユーザーによって直ぐに認識され得る。
【００２９】
第１出力制御部１３３は、例えば、第１出力部１５における各種の出力を制御することができる。
【００３０】
第１記憶制御部１３４は、例えば、第１記憶部１２に対するデータの書き込み、ならびに第１記憶部１２からのデータの読み出しおよび削除を制御することができる。第１記憶制御部１３４では、例えば、測定装置１０とサーバー２０との間における測定データの送受信が正しく行われた場合には、サーバー２０からの信号（第２信号ともいう）の受信に応答して、第１記憶部１２のデータベースＤ１に記憶されている測定データを削除してもよい。第２信号には、例えば、対象となる測定データを特定する情報と、この測定データについて削除を許可する情報または送受信が正しく実行されたことを示す情報と、が含まれる。測定データを特定する情報には、例えば、ファイル名およびタグ情報などが適用される。このようにして、例えば、送受信が正しく実行された測定データが第１記憶部１２から削除されれば、測定装置１０における第１記憶部１２の記憶容量が有効利用され得る。また、この場合には、例えば、送受信が正しく実行された後で、測定データが削除され、測定データの損失が生じにくい。
【００３１】
第１通信部１４は、例えば、通信回線Ｌｎ１を介して、測定装置１０の外部の装置との通信を行うことができる。第１通信部１４では、例えば、取得部１３０によって取得された測定データと、この測定データから第１演算部１３２で算出された第１の値を示すデータ（第１値データともいう）とが、サーバー２０に向けて送信され得る。つまり、第１通信部１４によって、測定データと、該測定データに係る第１の値を示す第１値データと、が組み合わされた状態で送信される。この第１通信部１４は、例えば、第１演算部１３２によって第１の値が算出されたことに応答して、この第１の値と、この第１の値の算出元の測定データと、をサーバー２０に向けて送信してもよい。この場合には、例えば、測定装置１０において測定データが取得される度に、この測定データおよび第１の値がサーバー２０に送信されれば、その後に測定装置１０で測定データが誤って削除されても、既にサーバー２０に送信した測定データの損失が生じにくい。すなわち、測定データの損失が低減され得る。また、このとき、例えば、サーバー２０側では、測定データごとに送受信が正しく実行されたか確認しやすく、測定データの送受信が正しく実行されていなかった場合に、測定データごとに容易に対処することが可能となる。
【００３２】
また、第１通信部１４では、例えば、測定装置１０とサーバー２０との間で測定データの送受信が正しく行われていなければ、後述するサーバー２０からの第１信号の受信に応答して、測定データと第１値データとをサーバー２０に向けて再送信してもよい。これにより、例えば、測定データの損失が低減され得る。
【００３３】
第１出力部１５は、例えば、各種情報を出力することができる。この第１出力部１５には、例えば、表示部およびスピーカなどが含まれ得る。表示部は、例えば、各種情報をユーザーが認識可能な態様で可視的に出力することができる。表示部は、例えば、第１入力部１６と一体化されたタッチパネルの形態を有していても良い。スピーカは、例えば、各種情報をユーザーが認識することができる態様で可聴的に出力することができる。
【００３４】
第１入力部１６は、例えば、測定装置１０を使用するユーザーの動作などに応じた信号を入力することができる。第１入力部１６には、例えば、操作部、マイクおよび各種センサーなどが含まれ得る。操作部は、例えば、ユーザーの操作に応じた信号を入力することができるマウスおよびキーボードなどを含み得る。マイクは、例えば、ユーザーの音声に応じた信号を入力することができる。各種センサーは、例えば、ユーザーの動きに応じた信号を入力することができる。
【００３５】
＜１−３．サーバーの構成＞
図４は、第１実施形態に係るサーバー２０の機能的な構成の一例を示すブロック図である。図４で示されるように、サーバー２０は、例えば、コンピュータなどによって実現され、バスラインＢｕ２を介して接続された、第２通信部２１、第２記憶部２２、第２制御部２３、第２出力部２４および第２入力部２５を備えている。
【００３６】
第２通信部２１は、例えば、測定装置１０から送信された測定データおよび第１の値を受信することができる。ここでは、例えば、第２通信部２１によって、測定データと、該測定データに係る第１値データと、が組み合わされた状態で受信される。
【００３７】
第２記憶部２２は、例えば、測定装置１０から送られてきた測定データを記憶することができる。これにより、第２記憶部２２には、測定データが蓄積されたデータベースＤ２が構築される。この第２記憶部２２は、例えば、不揮発性の記憶媒体などを含む。第２記憶部２２には、後述する第２メモリー２３ｂが含まれても良い。第２記憶部２２には、例えば、プログラムＰ２も記憶され得る。また、第２記憶部２２のデータベースＤ２には、例えば、第２通信部２１で受信した測定データとこの測定データに係る第１値データとが関連付けられた状態で記憶され得る。さらに、第２記憶部２２には、例えば、特定の測定装置１０から測定データと第１の値とが送られてくることを示す情報、および測定データから第１の値を算出する演算ルールと同一の演算ルールを示す情報が予め記憶され得る。
【００３８】
第２制御部２３は、例えば、サーバー２０の各部を統括制御することができる。この第２制御部２３は、第２処理部２３ａおよび第２メモリー２３ｂなどを有している。第２処理部２３ａは、例えば、１以上のプロセッサなどを含む。第１メモリー１３ｂは、例えば、１以上の揮発性のメモリーなどを含む。ここで、第２制御部２３は、第２記憶部２２に記憶されているプログラムＰ２を読み込んで実行することで、各種機能を実現することができる。図５は、第２制御部２３で実現される機能的な構成を示すブロック図である。図５で示されるように、第２制御部２３で機能的に実現される構成には、例えば、第２演算部２３１、第２出力制御部２３２、第２記憶制御部２３３および比較部２３４が含まれる。
【００３９】
第２演算部２３１は、例えば、第２通信部２１によって受信された測定データから対象物の特性について予め設定された特定の指標に係る値（第２の値ともいう）を算出することができる。この第２演算部２３１では、例えば、上記第１演算部１３２における測定データから第１の値を算出する演算と同一の演算によって、第２の値が算出される。また、第２演算部２３１では、例えば、第２通信部２１によって測定データが受信されたことに応答して、測定データから特定の指標に係る第２の値が算出され得る。ところで、対象物の色を測定する測定装置から受信した測定データを利用する装置には、一般的に、測定で得た分光分布データまたは分光反射率データを、色についての指標である１種類以上の表色系の値に変換する、第２演算部２３１のような機能が内蔵されている。第１実施形態に係るサーバー２０では、例えば、第２の値が、第２出力部２４において可視的あるいは可聴的に出力される用途に使用され得る。これにより、例えば、ＸＹＺ表色系およびＬ＊ａ＊ｂ＊表色系などの種々の表色系の値が、測定結果として、サーバー２０のユーザーによって認識され得る。
【００４０】
第２出力制御部２３２は、例えば、第２出力部２４における各種の出力を制御することができる。
【００４１】
第２記憶制御部２３３は、例えば、第２記憶部２２に対するデータの書き込み、ならびに第２記憶部２２からのデータの読み出しおよび削除を制御することができる。
【００４２】
比較部２３４は、例えば、第２通信部２１によって受信された第１の値と、第２演算部２３１によって算出された第２の値と、を比較することができる。具体的には、例えば、第１の値と、この第１の値と組み合わされた状態で受信された測定データから第２演算部２３１で算出された第２の値と、が比較される。このとき、例えば、第１の値と第２の値とが一致しているとの比較結果が得られれば、測定装置１０から送信された測定データと、サーバー２０で受信された測定データと、が同一であるものと推定される。その結果、この測定データの送受信が正しく行われたことが確認され得る。
【００４３】
そして、ここでは、例えば、送信側の測定装置１０で一般に使用する、測定データから算出される特定の指標に係る第１の値と、受信側のサーバー２０で一般に使用する、測定データから算出される特定の指標に係る第２の値と、が利用されている。このため、例えば、測定装置１０およびサーバー２０の双方において、もともと備えられている構成を利用して、特別な構成を加えることなく、送信側における測定データと、受信側における測定データと、の同一性を測定データ毎に容易に判断することができる。その結果、例えば、演算量の増大を低減しつつ、対象物の特性に係る物理量を測定して得られる測定データの送受信が正しく実行されたか否かを容易に確認することができる。また、例えば、送信側の測定装置１０で演算量が増加することで新たな測定を開始することができなくなる不具合が生じにくい。また、例えば、送信側の測定装置１０および受信側のサーバー２０の何れにおいても、演算量の低減によってプロセッサの性能の過度な向上が回避され得る。
【００４４】
ここで、例えば、比較部２３４によって第１の値と第２の値との一致が認識されないことに応答して、第２通信部２１に予め設定された信号（第１信号ともいう）を測定装置１０に向けて送信させてもよい。第１信号には、例えば、対象となる測定データを特定する情報と、この測定データについて再送信を要求する情報または送受信の不具合を示す情報と、が含まれる。測定データを特定する情報には、例えば、ファイル名およびタグ情報などが適用される。この場合、例えば、測定データごとに、測定データの送受信が正しく実行されていなければ、測定装置１０に第１信号が届く。このとき、例えば、測定装置１０からサーバー２０への測定データの再送信などの対応をユーザーが採ることが可能となる。ここで、再送信の対象となる測定データを特定する情報としては、例えば、測定データのファイル名あるいはタグ情報などが採用され得る。また、サーバー２０では、例えば、比較部２３４で第１の値と第２の値との一致が認識されれば、比較対象とされた第２の値を示すデータ（第２値データともいう）と、この第２の値の算出元の測定データと、が第２記憶部２２のデータベースＤ２に記憶されてもよい。
【００４５】
また、ここで、例えば、比較部２３４による第１の値と第２の値との一致の認識に応答して、第２通信部２１が、予め設定された第２信号を測定装置１０に向けて送信してもよい。この場合、例えば、測定データの送受信が正しく実行されていれば、測定装置１０に第２信号が届く。このとき、例えば、測定装置１０では、送受信済みの測定データを第１記憶部１２のデータベースＤ１から削除することができる。その結果、例えば、測定装置１０における第１記憶部１２の記憶容量を有効利用することができる。また、例えば、送受信が正しく実行された後で、測定データを削除することができ、測定データの損失が生じにくい。
【００４６】
第２出力部２４は、例えば、各種情報を出力することができる。この第２出力部２４には、例えば、第１出力部１５と同様に、表示部およびスピーカなどが含まれ得る。ここで、表示部は、第２入力部２５と一体化されたタッチパネルの形態を有していても良い。
【００４７】
第２入力部２５は、例えば、サーバー２０を使用するユーザーの動作などに応じた信号を入力することができる。第２入力部２５には、例えば、上記第１入力部１６と同様に、操作部、マイクおよび各種センサーなどが含まれ得る。
【００４８】
＜１−４．測定システムにおける通信処理方法＞
次に、第１実施形態に係る測定システム１における通信処理方法について説明する。
【００４９】
図６から図８は、測定システム１における通信処理方法の流れの一例を示す流れ図である。図６および図７は、測定装置１０における通信処理方法の流れの一例を示す流れ図である。この通信処理方法の流れは、例えば、第１制御部１３においてプログラムＰ１が実行されることで、実現され得る。また、図８は、サーバー２０における通信処理方法の流れの一例を示す流れ図である。この通信処理方法の流れは、例えば、第２制御部２３においてプログラムＰ２が実行されることで実現され得る。
【００５０】
まず、図６のステップＳ１では、第１制御部１３によって、測定部１１による測定が実行されたか否かが判定される。ここでは、測定部１１による測定が実行されるまで、ステップＳ１の判定が繰り返される。そして、測定部１１による測定が実行されれば、ステップＳ２に進む。
【００５１】
ステップＳ２では、取得部１３０によって、対象物の特性についての物理量に係る測定データが取得され、ステップＳ３に進む。ここでは、測定データには、例えば、分光反射率データが適用され得る。
【００５２】
ステップＳ３では、第１記憶制御部１３４によって、ステップＳ２で取得された測定データを第１記憶部１２に記憶し、ステップＳ４に進む。このとき、第１記憶部１２において、データベースＤ１が構築あるいは更新される。
【００５３】
ステップＳ４では、第１演算部１３２によって、ステップＳ２で取得された測定データから対象物の特性について予め設定された特定の指標に係る第１の値を算出し、ステップＳ５に進む。ここでは、例えば、測定データが分光反射率データであれば、第１の値には、３刺激値（Ｘ，Ｙ，Ｚ）などが適用される。
【００５４】
ステップＳ５では、第１通信部１４によって、ステップＳ２で取得された測定データおよびステップＳ４で算出された第１の値を示すデータ（第１値データ）をサーバー２０に向けて送信し、ステップＳ６に進む。
【００５５】
ステップＳ６では、第１制御部１３によって、サーバー２０からの第１信号が第１通信部１４で受信されたか否かが判定される。ここで、第１信号が受信されていれば、ステップＳ７に進み、第１信号が受信されていなければ、図７のステップＳ１１に進む。
【００５６】
ステップＳ７では、第１通信部１４によって、測定データと第１値データとが、サーバー２０に向けて再送信され、ステップＳ６に戻る。このとき、例えば、第１信号に含まれる測定データを特定する情報に基づいて、再送信するための測定データが特定され得る。
【００５７】
図７のステップＳ１１では、第１制御部１３によって、サーバー２０からの第２信号が第１通信部１４によって受信されたか否かが判定される。ここで、第１信号が受信されていれば、ステップＳ１２に進み、第２信号が受信されていなければ、図６のステップＳ６に戻る。
【００５８】
ステップＳ１２では、第１記憶制御部１３４によって、第１記憶部１２のデータベースＤ１に記憶されている測定データを削除し、本動作フローが終了される。ここでは、例えば、第２信号で特定されている測定データが削除される。
【００５９】
一方、図８のステップＳ２１では、第２通信部２１によって、測定データおよび第１値データの受信が受け付けられ、ステップＳ２２に進む。
【００６０】
ステップＳ２２では、第２制御部２３によって、ステップＳ２１で第２通信部２１が測定データおよび第１値データを受信したか否かが判定される。ここで、第２通信部２１が測定データおよび第１値データを受信していなければ、ステップＳ２１に戻る。一方、第２通信部２１が測定データおよび第１値データを受信していれば、ステップＳ２３に進む。
【００６１】
ステップＳ２３では、第２記憶制御部２３３によって、ステップＳ２１で受信された測定データおよび第１値データを第２記憶部２２のデータベースＤ２に記憶し、ステップＳ２４に進む。
【００６２】
ステップＳ２４では、第２演算部２３１によって、ステップＳ２１で受信された測定データから対象物の特性について予め設定された特定の指標に係る第２の値を算出し、ステップＳ２５に進む。ここでは、例えば、測定データが分光反射率データであれば、第２の値には、３刺激値（Ｘ，Ｙ，Ｚ）などが適用される。
【００６３】
ステップＳ２５では、比較部２３４によって、ステップＳ２１で受信された第１値データで示される第１の値と、ステップＳ２４で算出された第２の値と、が比較され、ステップＳ２６に進む。
【００６４】
ステップＳ２６では、比較部２３４によって、ステップＳ２５における比較結果に基づいて、第１の値と第２の値とが一致するか否かが判定される。ここで、第１の値と第２の値とが一致していなければ、ステップＳ２７に進み、第１の値と第２の値とが一致していれば、ステップＳ２８に進む。
【００６５】
ステップＳ２７では、第２通信部２１によって、測定装置１０に向けて第１信号が送信され、本動作フローが終了される。ここで、第１信号は、例えば、測定データの再送信を要求する信号とされる。
【００６６】
ステップＳ２８では、第２通信部２１によって、測定装置１０に向けて第２信号が送信され、ステップＳ２９に進む。
【００６７】
ステップＳ２９では、第２記憶制御部２３３によって、ステップＳ２１で受信された測定データおよびステップＳ２４で算出された第２値データを第２記憶部２２に記憶し、本動作フローが終了される。このとき、第２記憶部２２において、データベースＤ２が構築あるいは更新される。このステップＳ２９では、ステップＳ２４で算出された第２値データの代わりに、ステップＳ２１で受信された第１値データが第２記憶部２２に記憶されてもよい。
【００６８】
＜１−５．第１実施形態のまとめ＞
以上のように、第１実施形態に係る測定システム１では、例えば、送信側の測定装置１０において、測色データと、この測色データから算出される特定の指標に係る第１の値と、がサーバー２０に向けて送信される。そして、サーバー２０において、受信した測色データから特定の指標に係る第２の値が算出され、この第２の値と、受信した第１の値とが比較される。ここでは、例えば、測定データからハッシュ値を算出するような追加の演算は不要である。その代わりに、例えば、測定装置１０で一般に使用する、測定データから算出される特定の指標に係る第１の値と、サーバー２０で一般に使用する、測定データから算出される特定の指標に係る第２の値とが利用される。このため、例えば、測定装置１０およびサーバー２０の双方に元々備えられた構成を利用して、特別な構成を加えることなく、送信側における測定データと、受信側における測定データと、の同一性を測定データごとに容易に確認することができる。その結果、例えば、演算量の増大が低減されつつ、測定データの送受信が正しく実行されたか否かが容易に確認され得る。
【００６９】
＜２．他の実施形態＞
本発明は上述の第１実施形態に限定されるものではなく、本発明の要旨を逸脱しない範囲において種々の変更、改良などが可能である。
【００７０】
＜２−１．第２実施形態＞
例えば、上記第１実施形態において、測定装置１０とサーバー２０との間で測定データの送受信が正しく行われていない場合には、サーバー２０からの第１信号の受信に応答して、第１出力部１５において、第１の出力が行われてもよい。このとき、第１の出力には、例えば、ユーザーが認識可能な態様での予め設定された出力が採用される。具体的には、第１の出力には、例えば、測定データの送受信の不具合を示す情報およびサーバー２０への測定データの再送信を要求する情報などの出力が適用され得る。これにより、例えば、測定装置１０のユーザーは、測定装置１０および通信回線Ｌｎ１などの確認および修理ならびに測定データの再送信などを含めた種々の対応を採ることが可能となる。また、例えば、測定装置１０のユーザーは、正しく実行されない送受信の繰り返しを回避することができる。
【００７１】
上記構成が採用される場合には、上述した図６で示された通信処理方法の流れが、例えば、図９で示される通信処理方法の流れに変更されてもよい。具体的には、ステップＳ７の測定データおよび第１値データの再送信の代わりに、ステップＳ７Ａにおける第１の出力の実行が採用されてもよい。
【００７２】
＜２−２．第３実施形態＞
例えば、上記各実施形態において、第１の値と第２の値との一致が認識された場合に、測定装置１０では、第２信号の受信に応答して、第１記憶部１２のデータベースＤ１に記憶されている測定データが削除される前に、ユーザーに削除について決定を求めてもよい。このとき、例えば、送受信が正しく実行された測定データが、ユーザーの決定に応じて第１記憶部１２のデータベースＤ１から削除され得る。このため、例えば、測定装置１０における第１記憶部１２の記憶容量の有効利用を図りつつ、測定データの損失が生じにくくなる。その結果、例えば、測定データを安全に削除することができる。また、例えば、ユーザーの意図に応じて測定装置１０に測定データのバックアップを残すこともできる。
【００７３】
上記構成が採用される場合には、上述した図７で示された通信処理方法の流れが、例えば、図１０で示される通信処理方法の流れに変更されてもよい。具体的には、ステップＳ１２の処理の代わりに、ステップＳ１２ＢからステップＳ１６Ｂの処理が行われてもよい。
【００７４】
ここで、ステップＳ１２Ｂでは、第１出力部１５によって、第１通信部１４による第２信号の受信に応答して、ユーザーが認識可能な態様で予め設定された第２の出力が行われる。このとき、第２の出力には、例えば、第１記憶部１２のデータベースＤ１における測定データの削除および保存のうちの少なくとも一方の処理の実行に対するユーザーの決定を求める情報の出力などが適用される。ここでは、例えば、第１出力部１５の表示部に、測定データについて、削除と保存の何れかを選択可能な画面（選択画面ともいう）が表示されるような態様が考えられる。
【００７５】
ステップＳ１３Ｂでは、第１入力部１６によって、ユーザーの動作に応じた入力が受け付けられ、ステップＳ１４Ｂに進む。このとき、例えば、第１入力部１６によって、ユーザーの動作に応じた特定の入力が受け付けられる。特定の入力には、例えば、第１記憶部１２からの測定データの削除を決定する情報の入力などが適用される。具体的には、例えば、第１出力部１５の表示部に表示された選択画面において、測定データの削除を選択するような態様が考えられる。
【００７６】
ステップＳ１４Ｂでは、第１制御部１３によって、第１入力部１６で特定の入力があったか否か判定される。ここで、特定の入力があれば、ステップＳ１５Ｂに進み、特定の入力がなければ、ステップＳ１６Ｂに進む。
【００７７】
ステップＳ１５Ｂでは、上記ステップＳ１２（図７）と同様に、第１記憶制御部１３４によって、第１記憶部１２のデータベースＤ１に記憶されている測定データを削除し、本動作フローが終了される。このように、ステップＳ１２ＢからステップＳ１５Ｂでは、第１記憶制御部１３４によって、第１出力部１５で第２の出力が行われている状態で、第１入力部１６による特定の入力の受け付けに応答して、第１記憶部１２のデータベースＤ１に記憶されている測定データが削除される。
【００７８】
ステップＳ１６Ｂでは、第１制御部１３によって、特定の条件を満たすか否かが判定される。ここで、特定の条件には、例えば、選択画面における測定データの保存の選択、あるいは予め設定された時間の経過などが適用される。そして、ここでは、特定の条件を満たしていなければ、ステップＳ１３Ｂに戻り、特定の条件を満たせば、本動作フローが終了される。
【００７９】
＜２−３．第４実施形態＞
例えば、上記各実施形態において、比較部２３４によって第１の値と第２の値との一致が認識されなかったことに応答して、第２出力部２４によって、ユーザーが認識可能な態様で、予め設定された第３の出力が行われてもよい。第３の出力には、例えば、ユーザーが認識可能な態様での予め設定された出力が採用される。具体的には、第３の出力には、例えば、測定データの送受信の不具合を示す情報の出力などが適用され得る。これにより、例えば、測定データの送受信が正しく実行されていない場合に、ユーザーが認識可能な態様で第３の出力が行われる。このため、サーバー２０のユーザーは、測定装置１０、サーバー２０もしくは通信回線Ｌｎ１の確認および修理ならびに測定データの再送信の要求などの種々の対応を採ることができる。また、例えば、ユーザーによって、正しく実行されていない送受信の繰り返しの回避も図られ得る。
【００８０】
このような構成が採用される場合には、上述した図８で示された通信処理方法の流れが、例えば、図１１で示される通信処理方法の流れに変更されてもよい。具体的には、ステップＳ２７における第１信号の送信の代わりに、ステップＳ２７Ｃにおける第３の出力の実行が採用されてもよい。
【００８１】
＜２−４．第５実施形態＞
例えば、上記各実施形態では、図１２で示されるように、上記測定システム１を基本構成として、測定装置１０とサーバー２０とが他の装置（中継装置ともいう）を経由して、通信可能に接続されている、測定システム１Ｄが採用されてもよい。図１２の例では、測定装置１０と他の装置としての端末機器Ｔ１とが近距離の無線通信によって通信可能に接続されている。具体的には、測定装置１０ａと端末機器Ｔ１ａとが通信可能に接続され、測定装置１０ｂと端末機器Ｔ１ｂとが通信可能に接続され、測定装置１０ｃと端末機器Ｔ１ｃとが通信可能に接続されている。さらに、端末機器Ｔ１とサーバー２０とが通信回線Ｌｎ１，Ｌｎ２を介して通信可能に接続されている。ここでは、例えば、通信回線Ｌｎ２がＬＡＮ（Local Area Network）回線であり、通信回線Ｌｎ１がインターネット回線である態様が考えられる。端末機器Ｔ１には、例えば、一般的なパーソナルコンピュータなどが適用される。
【００８２】
このような構成では、例えば、測定装置１０において測定データが取得され、端末機器Ｔ１において測定データから特定の指標に係る第１の値が算出されてもよい。この場合には、端末機器Ｔ１は、測定部１１を有していないものの、取得部１３０の代わりに、測定装置１０から測定データを取得する取得部を有しているといえる。また、端末機器Ｔ１は、さらに、測定データを記憶する第１記憶部１２、測定データから特定の指標に係る第１の値を算出する第１演算部１３２、および測定データと第１値データとをサーバー２０に向けて送信する第１通信部１４の各機能を有していてもよい。すなわち、端末機器Ｔ１が第１装置としての役割を果たしてもよい。
【００８３】
＜３．その他＞
例えば、上記各実施形態において、測定装置１０において、予め設定されているタイミングで、１以上の測定データについての第１の値の算出およびサーバー２０への測定データの送信がある程度まとめて行われてもよい。
【００８４】
例えば、上記各実施形態および各変形例において、第１の値および第２の値をそれぞれ構成する表色系の値は、１種類以上の表色系の値の少なくとも一部の値であればよい。例えば、第１の値および第２の値は、ＸＹＺ表色系の３刺激値Ｘ，Ｙ，Ｚのうちの１以上の値であってもよい。
【００８５】
例えば、上記各実施形態および各変形例において、第２通信部２１、第２演算部２３１および比較部２３４などのサーバー２０における測定データの送受信に係る構成と同様な構成を有する他の装置が、第２装置としてサーバー２０の代わりに採用されてもよい。
【００８６】
例えば、上記各実施形態および各変形例において、測定部１１が３刺激値直読式のセンサーを有するものであれば、取得部１３０で取得される測定データが３刺激値であってもよい。この場合、例えば、第１の値および第２の値のそれぞれには、ＸＹＺ表色系とは異なる表色系（Ｌ＊ａ＊ｂ＊表色系など）の値が適用され得る。
【００８７】
例えば、上記各実施形態および各変形例において、対象物の特性として、対象物の色以外の特性が採用されてもよい。対象物の色以外の特性には、例えば、対象物の寸法および対象物における電気的な性質などが含まれ得る。例えば、対象物の特性が対象物の寸法である場合には、測定データが対象物の寸法に係るデータとされ、特定の指標に係る第１の値および第２の値が寸法の統計的な値（ばらつきを示す分散、平均値など）とされ得る。また、例えば、対象物の特性が心臓の電気的な活動である場合には、測定データが心電図のデータとされ、特定の指標に係る第１の値および第２の値が、心電図のデータをフーリエ変換したパワースペクトルとされ得る。
【００８８】
例えば、上記各実施形態および各変形例において、第２装置としてのサーバー２０の第２記憶部２２の代わりに、通信回線Ｌｎ１で接続された他の装置の記憶部が利用されてもよい。すなわち、クラウド・コンピューティング（クラウド）の情報サービスが利用されてもよい。
【００８９】
例えば、上記各実施形態および各変形例において、第１の出力および第２の出力などを行う第１出力部１５は、近距離通信などで測定装置１０と通信可能に接続された他の装置に設けられてもよい。
【００９０】
例えば、上記各実施形態および各変形例において、第３の出力などを行う第２出力部２４は、近距離通信などでサーバー２０と通信可能に接続された他の装置に設けられてもよい。
【００９１】
また、上記各実施形態および各種変形例をそれぞれ構成する全部または一部を、適宜、矛盾しない範囲で組み合わせ可能であることは、言うまでもない。
【符号の説明】
【００９２】
１，１Ｄ  測定システム
１０，１０ａ，１０ｂ，１０ｃ  測定装置（第１装置）
１１  測定部
１２  第１記憶部
１３  第１制御部
１３ａ  第１処理部
１３ｂ  第１メモリー
１４  第１通信部
１５  第１出力部
１６  第１入力部
２０  サーバー（第２装置）
２１  第２通信部
２２  第２記憶部
２３  第２制御部
２３ａ  第２処理部
２３ｂ  第２メモリー
２４  第２出力部
２５  第２入力部
１３０  取得部
１３１  読出部
１３２  第１演算部
１３３  第１出力制御部
１３４  第１記憶制御部
２３１  第２演算部
２３２  第２出力制御部
２３３  第２記憶制御部
２３４  比較部
Ｌｎ１，Ｌｎ２  通信回線
Ｐ１，Ｐ２  プログラム
Ｔ１，Ｔ１ａ，Ｔ１ｂ，Ｔ１ｃ  端末機器
【図１】
2018211904.tif 000003
【図２】
2018211904.tif 000004
【図３】
2018211904.tif 000005
【図４】
2018211904.tif 000006
【図５】
2018211904.tif 000007
【図６】
2018211904.tif 000008
【図７】
2018211904.tif 000009
【図８】
2018211904.tif 000010
【図９】
2018211904.tif 000011
【図１０】
2018211904.tif 000012
【図１１】
2018211904.tif 000013
【図１２】
2018211904.tif 000014
【国際調査報告】
2018211904.tif 000015
2018211904.tif 000016